(57)【要約】【課題】島台を木材加工によって製作する場合、特に下段ユニットの据え付け状態を長期的に安定させうる高強度の支持構造を提供する。【解決手段】島台の長さ方向に沿って延びる土台桟木２６を島台の足元部分に取り付け、断面コ字状に形成された鋼板製の補強金物７を上記土台桟木２６の上面、一側面及び底面に被せるようにして土台桟木２６に嵌装し、上記土台桟木２６及び補強金物７に形成したボルト挿通孔２６１、７１１、７３１にアンカーボルト６を挿通して、該アンカーボルト６に螺着した固定ナット８１、８２を補強金物７の上下から締結することにより島台をアンカーボルト６に連結する。【選択図】図２
0003125895.tif 000002
【実用新案登録請求の範囲】
【請求項１】
島台の長さ方向に沿って延びる土台桟木を島台の足元部分に取り付け、断面コ字状に形成された鋼板製の補強金物を上記土台桟木の上面、一側面及び底面に被せるようにして土台桟木に嵌装し、上記土台桟木及び補強金物に形成したボルト挿通孔にアンカーボルトを挿通して、該アンカーボルトに螺着した固定ナットを補強金物の上下から締結することにより土台桟木をアンカーボルトに連結したことを特徴とする島台の支持構造。
【考案の詳細な説明】
【技術分野】
【０００１】
本考案は、パチンコやスロット遊技機を設置するための島台の足元部分の支持構造に関する。
【背景技術】
【０００２】
パチンコ・スロット遊技店における島工事の施工性を改善するため、本出願人は、特許文献１、２等において、構造体を上側部分、中間部分及び下側部分に３分割した島台の構造を提案し実用化している。かかる島台の概略構造を図３に示す。島台１は、下段ユニット２、中段ユニット３、及び上段ユニット４を接合することによって組み立てられる。
【０００３】
下段ユニット２は、島台１の長さ方向に沿って所定間隔で配列された複数個の支持フレーム２１と、各支持フレーム２１を島台の長さ方向に連結する腰板２２や棚板２３、幕板２４、巾木２５等から構成されている。支持フレーム２１は、島の幅方向に相対して立設される一対の支持脚２１１を、横梁２１２により連結した枠状の部材である。支持フレーム２１の内側には、パチンコ球の貯留タンク５や各種機械装置等を収納するための空間が、島台１の長さ方向に連通して形成される。支持脚２１１の足元部分には、床面に埋設されたアンカーボルト６を連結するためのベースプレート２１４が島台１の長さ方向に沿って取り付けられている。下段ユニット２の上部には、所定間隔で相対する下部支柱２１３が立設され、この下部支柱２１３に中段ユニット３が接合されるようになっている。
【０００４】
中段ユニット３は、前記下部支柱２１３と合致する間隔で相対する一対の中間支柱３１が連結板３２を介して連結された略Ｈ形の構造体で、中間支柱３１の下端が下部支柱２１３の上端に継手パイプ３３等を介して接合される。
【０００５】
上段ユニット４は、相対する上部支柱４１とこれに連結された上部フレーム４２、及びそれらを長さ方向に連結する上部幕板４３等を備えた構造体である。上部支柱４１が、中段ユニット３の中間支柱３１に接合される。
【０００６】
このような島台１は、下段ユニット２、中段ユニット３及び上段ユニット４を、予め工場にてそれぞれ製作し、各段を別々にした状態で遊技店の設置現場に搬入される。そして、まず床上の所定位置に下段ユニット２を据え付けた後、これに中段ユニット３、上段ユニット４を順次接合することにより組み立てられる。島台１の据え付け高さや直立度の微調整は、下段ユニット２をアンカーボルト６に連結した段階で行うこともでき、また、上段ユニット４まで組み上げた後に行うこともできる。かかる構造及び組立方法によって、遊技店における島工事の現場作業を省力化し、作業時間や工数の削減を実現している。
【特許文献１】特開平６−１７００５６号公報
【特許文献２】特開２００１−１６２０２２号公報
【考案の開示】
【考案が解決しようとする課題】
【０００７】
図１に例示した従来の島台１は、下段ユニット２の支持フレーム２１、中段ユニット３、上段ユニット４の上部フレーム４２等を、鋼製のパイプ材を加工して製作したものである。本出願人は、コスト削減等の事情により、上記のような構造の島台を木材加工によって製作することを検討した。この検討過程において、下段ユニットのうち、特にアンカーボルト６に連結される足元部分の強度が問題となった。
【０００８】
すなわち、島台の足元部分に、ベースプレート２１４に替わる土台桟木を設け、この土台桟木に所定間隔でボルト挿通孔を形成し、該挿通孔にアンカーボルトを挿通して、上下から固定ナットを締めつけて土台桟木を固定する構造を採用すると、木材の撓み変形や痩せによって土台桟木の締付状態が緩み、下段ユニットの据え付け状態が不安定になるおそれが確認された。
【０００９】
そこで本考案は、上記のように島台を木材加工によって製作する場合、特に下段ユニットの据え付け状態を長期的に安定させうる高強度の支持構造を提案するものである。
【課題を解決するための手段】
【００１０】
上記した目的を達成するため、本考案の島台の支持構造は、島台の長さ方向に沿って延びる土台桟木を島台の足元部分に取り付け、断面コ字状に形成された鋼板製の補強金物を上記土台桟木の上面、一側面及び底面に被せるようにして土台桟木に嵌装し、上記土台桟木及び補強金物に形成したボルト挿通孔にアンカーボルトを挿通して、該アンカーボルトに螺着した固定ナットを補強金物の上下から締結することにより島台をアンカーボルトに連結したことを特徴とする。
【考案の効果】
【００１１】
上述のように構成される本考案の島台の支持構造は、木材からなる土台桟木とアンカーボルトとの連結箇所に鋼板製の補強金物を嵌装し、この補強金物を挟み込むようにして固定ナットを締結するものであるから、据え付け後に木材の撓み変形や痩せなどが生じても、土台桟木の締付状態が緩むことなく、長期間にわたって島台の据え付け状態を安定させることができる。
【考案を実施するための最良の形態】
【００１２】
以下、本考案の実施の形態について図を参照して説明する。
【００１３】
図１は本考案の実施例にかかる島台１０の下部構造を示す断面図である。例示の島台１０は、床面に埋設されたアンカーボルト６に下段ユニット２０を固定し、その上に中段ユニット３０、及び上段ユニット（図示せず）を連結して組み立てられる。下段ユニット２０は、島台１０の長さ方向に沿って所定間隔で配列された複数個の支持フレーム２１を、土台桟木２６、腰板２２、棚板２３、幕板２４、巾木２５、その他の補助桟木等を介して島台１０の長さ方向に連結することにより構成される。ただし、本考案において、土台桟木２６以外の部材の詳細な形状や接合形態は特に限定せず、上記従来の技術にかかる島台１（図３）と同等であってもよいし、多少改変されていてもよい。また、中段ユニット３０及び上段ユニットについても、その構造は特に限定しない。
【００１４】
土台桟木２６は、島台１０の荷重を支持する部材であり、例えば幅５５〜６０ｍｍ程度、高さ２５〜３０ｍｍ程度の木材を利用して製作される。この土台桟木２６には、アンカーボルト６を挿通させるためのボルト挿通孔２６１が、土台桟木２６を上下方向に貫通して、適宜間隔で形成されている。ボルト挿通孔２６１の直径は２０ｍｍ前後である。
【００１５】
土台桟木２６とアンカーボルト６との連結箇所には鋼製の補強金物７が取り付けられる。補強金物７は、図２に示すように、天板部７１、側板部７２、底板部７３を有する断面コ字状の部材で、板厚２．３〜２．５ｍｍ程度の鋼板を折曲して形成されている。補強金物７の内寸は土台桟木２６の断面寸法と合致するように形成されている。補強金物７の長手方向の寸法は６０〜８０ｍｍ程度である。補強金物７の天板部７１及び底板部７３には、土台桟木２６に形成されたボルト挿通孔２６１と合致するボルト挿通孔７１１、７３１がそれぞれ形成されている。
【００１６】
この補強金物７が、土台桟木２６の側方から、土台桟木２６の上面、一側面及び底面に被さるようにして嵌装され、合致したボルト挿通孔２６１、７１１、７３１にアンカーボルト６が挿通される。アンカーボルト６には、補強金物７及び土台桟木２６を上下から挟むようにして固定ナット８１、８２が螺着され、これらの固定ナット８１、８２を締結することにより、土台桟木２６が補強金物７とともに固定される。このような支持構造を採用することにより、島台１０の据え付け後に木材の撓み変形や痩せなどが生じても、土台桟木２６の締付状態が緩むことなく、長期間にわたって島台１０の据え付け状態を安定させることができる。
【図面の簡単な説明】
【００１７】
【図１】本考案の実施形態に係る島台の支持構造を示す断面図である。
【図２】上記支持構造における土台桟木と補強金物の構成を示す部分斜視図である。
【図３】従来技術にかかる島台の基本構造を示す断面図である。
【符号の説明】
【００１８】
１０    島台
２６    土台桟木
２６１  ボルト挿通孔
６      アンカーボルト
７      補強金物
７１１  ボルト挿通孔
７３１  ボルト挿通孔
８１    固定ナット
８２    固定ナット
【図１】
0003125895.tif 000003
【図２】
0003125895.tif 000004
【図３】
0003125895.tif 000005